(57)【特許請求の範囲】
【請求項１】
レーザ発光素子から出射したレーザ光を回折光学素子とコリメータレンズ及び対物レンズを介してディスク状記録媒体へ照射させると共に、該ディスク状記録媒体で反射したレーザ光を対物レンズ及びコリメータレンズを介して光検出器へと導く光学系を有する光ピックアップにおいて、
光学系を配置する光学ベースと、
上記レーザ発光素子を保持するレーザホルダと、
上記回折光学素子を保持する回折光学素子ホルダとを有し、
上記回折光学素子ホルダの円筒部の外周部分に形成された保持溝と上記レーザホルダの内孔の内周壁の開口寄りの部分に形成された嵌合溝の間にリング状部材が嵌入されることによって、上記回折光学素子ホルダが上記レーザーホルダ内に保持される
ことを特徴とする光ピックアップ。
【請求項２】
レーザ発光素子から出射したレーザ光を回折光学素子とコリメータレンズ及び対物レンズを介してディスク状記録媒体へ照射させると共に、該ディスク状記録媒体で反射したレーザ光を対物レンズ及びコリメータレンズを介して光検出器へと導く光学系を有する光ピックアップにおいて、
光学系を配置する光学ベースと、
上記レーザ発光素子を保持するレーザホルダと、
上記回折光学素子を保持する回折光学素子ホルダとを有し、
上記レーザホルダの内孔の内周壁の開口寄りの部分に形成された締結孔から内孔内に差し込まれた連結ピンの先端部が上記回折光学素子ホルダの円筒部の外周部分に形成された保持溝内に入り込んでその壁部と当接することによって、上記回折光学素子ホルダが上記レーザーホルダ内に保持される
ことを特徴とする光ピックアップ。
【請求項３】
レーザ発光素子から出射したレーザ光を回折光学素子とコリメータレンズ及び対物レンズを介してディスク状記録媒体へ照射させると共に、該ディスク状記録媒体で反射したレーザ光を対物レンズ及びコリメータレンズを介して光検出器へと導く光学系を有する光ピックアップを備えた光ディスクドライブ装置において、
光ピックアップが、光学系を配置する光学ベースと、
上記レーザ発光素子を保持するレーザホルダと、
上記回折光学素子を保持する回折光学素子ホルダとを有し、
上記回折光学素子ホルダの円筒部の外周部分に形成された保持溝と上記レーザホルダの内孔の内周壁の開口寄りの部分に形成された嵌合溝の間にリング状部材が嵌入されることによって、上記回折光学素子ホルダが上記レーザーホルダ内に保持される
ことを特徴とする光ディスクドライブ装置。
【請求項４】
レーザ発光素子から出射したレーザ光を回折光学素子とコリメータレンズ及び対物レンズを介してディスク状記録媒体へ照射させると共に、該ディスク状記録媒体で反射したレーザ光を対物レンズ及びコリメータレンズを介して光検出器へと導く光学系を有する光ピックアップを備えた光ディスクドライブ装置において、
光ピックアップが、光学系を配置する光学ベースと、
上記レーザ発光素子を保持するレーザホルダと、
上記回折光学素子を保持する回折光学素子ホルダとを有し、
上記レーザホルダの内孔の内周壁の開口寄りの部分に形成された締結孔から内孔内に差し込まれた連結ピンの先端部が上記回折光学素子ホルダの円筒部の外周部分に形成された保持溝内に入り込んでその壁部と当接することによって、上記回折光学素子ホルダが上記レーザーホルダ内に保持される
ことを特徴とする光ディスクドライブ装置。
【発明の詳細な説明】
【０００１】
【発明が属する技術分野】
本発明は、レーザ発光素子から出射したレーザ光を回折光学素子とコリメータレンズ及び対物レンズを介してディスク状記録媒体へ照射させると共に、該ディスク状記録媒体で反射したレーザ光を対物レンズ及びコリメータレンズを介して光検出器へと導く光学系を有する光ピックアップ及び光ディスクドライブ装置において、回折光学素子の位置調整を容易に行うことができるようにする為の技術に関する。
【０００２】
【従来の技術】
光ディスクドライブ装置、例えば、ディスク状記録媒体としてコンパクトディスク（CD）を使用する装置において、光ピックアップは、レーザ発光素子から出射したレーザ光を回折光学素子とコリメータレンズ及び対物レンズを介してディスク状記録媒体へ照射させると共に、該ディスク状記録媒体で反射したレーザ光を対物レンズ及びコリメータレンズを介して光検出器へと導く光学系を有する。
【０００３】
即ち、図１０に示すように、上記光ディスクドライブ装置における光ピックアップａは、光学系の構成要素として、レーザ発光素子（半導体レーザ）ｂ、回折光学素子（位相回折格子）ｃ、ビームスプリッターｄ、光学素子ｅ、受光器（PDIC）ｆ、コリメータレンズｇ、反射ミラー（立ち上げミラー）ｈ、対物レンズｉ等を有する。尚、上記光学系の各構成要素は、図示しない２軸アクチュエータによってフォーカシング方向及びトラッキング方向に移動自在とされる対物レンズを除いて、光学ベースｊ上に配置される。
【０００４】
対物レンズｉによって光ディスクｋの記録層に集光され、反射した戻り光は、ビームスプリッターｄを透過して、光学素子ｅでフォーカスサーボを掛けるために非点収差を発生させて、受光器ｆで検出される。
【０００５】
尚、レーザー発光素子ｂは、最も一般的なタイプの場合、上記光学ベースｊに直接固定される。
【０００６】
ところで、上記光ピックアップａにおいては、製造段階において、所謂デフォーカス調整と、上記回折光学素子ｃの作用によって形成される３つのビームスポットの、光ディスクのトラックに対する位置の調整（以下、「回折格子の位置調整」という。）を行う必要がある。この回折格子の位置調整の際には、レーザ発光素子ｂが回転してしまうと受光器の位置を再調整する必要があり、調整工程数が増してしまうという問題があった。
【０００７】
図１１は、レーザ光の往路系で回折格子の位置調整を共に行えるようにした一例を示すものであり、レーザホルダｌの一端部から半導体レーザｂを嵌入して固定し、回折光学素子ｃは、他端部から嵌入され、板バネや線バネから成る押え部材ｍによって押圧されて固定するようにしたものである。
【０００８】
従って、回折光学素子ｃのみを回転させて行う必要がある回折格子の位置調整は、レーザ発光素子ｂと回折光学素子ｃとの間隔を一定に保ちながら、レーザ発光素子ｂを回転させずに回折光学素子ｃのみを回転させて調節を行う。この場合、レーザホルダｌは、レーザ発光素子ｂが回折光学素子ｃと同時に回転しないように、図示しない板金等の部材を用いて光学ベースｊに支持固定されている。
【０００９】
また、デフォーカス調整をレーザ光の往路系で行わず、受光器等、レーザ光の復路系で行うようにしたものもある。この様な復路系でデフォーカス調整を行うものにおいては、レーザ発光素子は回転させる必要がないので、光学ベース部分に直接固定され、回折格子の位置調整を行うために、回折光学素子は回転調整のみが行えるようにされている。
【００１０】
しかしながら、図１１に示す、往路系でデフォーカス調整及び回折格子の位置調整を行うものにおいては、押え部材ｍ及びこれをレーザホルダｌに固定する部材等が必要なため、これらの部材によってレーザホルダｌの外形が大きくなってしまうこと、構造が複雑になるため設計上の制約寸法に抵触して設計自由度が下がってしまうこと及び複雑な構造による信頼性の低下等の新たな問題が発生していた。
【００１１】
また、上記デフォーカス調整をレーザ光の復路系で行うものにおいても、復路系で別の光学素子を配置するスペースが取れないという問題と、受光器の位置を調整することによって、デフォーカス調整を行わなければならないので構造が複雑になり、信頼性の面でも問題があった。
【００１２】
【発明が解決しようとする課題】
本発明は、上記問題点に鑑み、回折格子の位置調整の際に、レーザ発光素子との距離を一定に保ちながら回折光学素子のみを回転させることを、簡単な構造で実現させることを課題とする。
【００１３】
【課題を解決するための手段】
本発明は上記課題を解決するために、光学ピックアップ又は該光ピックアップを備えた光ディスクドライブ装置において、光学系を配置する光学ベースと、レーザ発光素子を保持するレーザホルダと、回折光学素子を保持する回折光学素子ホルダとを有し、回折光学素子ホルダ及びレーザホルダはそれぞれ嵌合手段を有し、回折光学素子ホルダの円筒部の外周部分に形成された保持溝とレーザホルダの内孔の内周壁の開口寄りの部分に形成された嵌合溝の間にリング状部材が嵌入されることによって、または、レーザホルダの内孔の内周壁の開口寄りの部分に形成された締結孔から内孔内に差し込まれた連結ピンの先端部が回折光学素子ホルダの円筒部の外周部分に形成された保持溝内に入り込んでその壁部と当接することによって回折光学素子ホルダをレーザーホルダ内に保持したものである。
【００１４】
従って、回折光学素子の位置調整の際に、レーザ発光素子との距離を一定に保ちながら回折光学素子ホルダのみを回転させることを簡単な構造で実現することが可能になる。
【００１５】
【発明の実施の形態】
以下、本発明光ピックアップ及び光ディスクドライブ装置の実施の形態について、添付図面を参照して説明する。
【００１６】
尚、以下の実施の形態は、ディスク状記録媒体としてＤＶＤ規格及びＣＤ規格の光ディスクを使用し、レーザ発光素子としては、650nmと780nmの２種類のレーザ光を出射することができるように、２つの光源部が一体にパッケージングされた２波長１体型の半導体レーザを使用して、ＤＶＤ規格の光ディスクに対する情報信号の読み出しと、ＣＤ規格の光ディスクに対して情報信号の読み出し及び書き込みを行うことができるようにされた光ディスクドライブ装置及びこれに使用される光ピックアップに適用したものである。
【００１７】
最初に光ディスクドライブ装置及び光ピックアップの概要を説明する。
【００１８】
光ディスクドライブ装置１は、図１に示すように、外筐２内に所用の各部材及び各機構が配設されて成るものである。上記外筐２は、カバー体３と前面パネル４とから成る。前面パネル４には、横長の開口部４ａが設けられると共に、各種操作ボタンから成る操作部５が設けられている。
【００１９】
外筐２内には、図２に示すように、メカフレーム６が配設されている。該メカフレーム６上には、各種機構、即ち、ディスクトレー７をローディングさせるためのローディング機構８、回動可能な状態のベースユニット９等が配設されている。また、上記ベースユニット９には、スピンドルモータ１０によって回転されるディスクテーブル１１が取り付けられると共に光ピックアップ１２が移動自在な状態で支持されている。
【００２０】
光ピックアップ１２は、図２及び図３に示すように、移動ベース１３と２軸アクチュエータ１４とを有しており、該２軸アクチュエータ１４は、上記移動ベース１３上に支持されると共に、後述する対物レンズを有している。また、移動ベース１３の両側縁部は、それぞれガイド軸１５、１５に支持されており、これによって、光ピックアップ１２は、ガイド軸１５、１５に案内されてディスクテーブル１１に挿着される光ディスクの半径方向に移動自在となる。尚、上記２軸アクチュエータ１４は、詳細については省略するが、２軸可動体１４ａと移動ベース１３に固定される固定部１４ｂから成る。
【００２１】
また、メカフレーム６には、ディスクトレー７が前記ローディング機構８によって駆動されて、外筐２の前後方向に移動自在に支持されている。
【００２２】
而して、光ディスクドライブ装置１は、前面パネル４の操作部５を使用者が操作することによってディスクトレー７の開命令が発せられると、ローディング機構８が作動してディスクトレー７が前面パネル４の開口４ａから引き出され、載置凹部７ａに光ディスクを載置可能な状態となる。
【００２３】
ディスクトレー７の載置凹部７ａに光ディスクが載置され、再度、使用者が操作部５を操作することによってディスクトレー７の閉命令が発せられると、ディスクトレー７はローディング機構８の作動によって外筐２内部に引き込まれる。
【００２４】
次に、使用者による操作部５の操作によって光ディスクへ情報信号の記録又は再生命令が発せられると、ベースユニット９が回動してディスクテーブル１１が略上方に移動し、該ディスクテーブル１１の中心部が光ディスクの中心孔に挿入されてチャッキングされ回転可能な状態となる。そして、光ディスクに対するチャッキングが完了すると、スピンドルモータ１０の駆動によるディスクテーブル１１の回転に伴って光ディスクが回転される。同時に、ガイド軸１５、１５に案内されて光ピックアップ１２が光ディスクの内周側から外周側へと移動されると共に、２軸アクチュエータ１４の対物レンズを介してレーザ光が光ディスクの記録面に照射され、光ディスクに記録された情報信号の再生又は記録が為される。
【００２５】
また、操作部５の操作によって、情報信号の読み取り又は書き込みの停止命令が発せられると、光ディスクの回転が停止すると共に光ピックアップ１２の移動が停止して記録又は再生動作が終了し、ベースユニット９が先程とは反対方向に回動し、光ディスクに対するチャッキングが解除すると共に光ディスクが載置凹部７ａに載置され、ベースユニット９はディスクトレー７の下方に位置するようになる。
【００２６】
更に、前面パネル４の操作部５の操作によって、ディスクトレー７の開命令が発せられると、ディスクトレー７が開口４ａから引き出され、載置凹部７ａに載置されている光ディスクの取り出しが可能となる。載置凹部７ａから光ディスクを取り出し、再度、操作部５の操作によってディスクトレー７の閉命令が発せられると、ディスクトレー７が外筐２内に引き込まれる。
【００２７】
次に、光ピックアップ１２の詳細について説明する。
光ピックアップ１２の構成要素としては、前記移動ベース１３と２軸アクチュエータ１４の他に光学系として、図４に概略的に示すように、650nmと780nmとの２種類の波長のレーザ光を出射することができるよう、２つの光源部が一体にパッケージングされて成るレーザ光源１６、回折光学素子が内部に保持した回折光学素子ホルダ１７、ビームスプリッター１８、光学素子１９、受光器（PDIC）２０、コリメータレンズ２１、反射ミラー２２、２焦点方式の対物レンズ２３等を有する。
【００２８】
尚、上記ビームスプリッター１８、光学素子１９、受光器（PDIC）２０、コリメータレンズ２１、反射ミラー２２は、光学ベース２４上に配置されている。また、対物レンズ２３のみは、２軸アクチュエータ１４の２軸可動体１４ａによって支持されている。
【００２９】
上記レーザ発光素子１６は、図４に示すように、略円筒状をしたケース体１６ａ内に図示しない２つの光源部を内包し、ケース体１６ａの基部にはフランジ１６ｂが形成されて成るものであり、後述するレーザホルダに保持されることによって、間接的に光学ベースいる。
【００３０】
また、上記回折光学素子ホルダ１７は、図６に示すように、後述するレーザホルダに内嵌される部分である円筒部１７ａと、該円筒部１７ａよりも大径に形成されたホルダ部１７ｂが一体に形成されて成るものであり、該ホルダ部１７ｂに回折光学素子（位相回折格子）１７ｃが保持されている。また、ホルダ部１７ｂには、後述する調整を行う為に用いるものであると共に嵌合手段の一部である調整溝１７ｄが形成されている。更に、上記円筒部１７ａの外周部分には、周方向に連続して伸びる略Ｖ字状の断面形状を有する保持溝１７ｅが形成されている。
【００３１】
レーザ発光素子から出射し、回折光学素子ホルダ１７を経たレーザ光は、ビームスプリッター１８によって反射されると共に光路が９０度折り曲げられ、コリメータレンズ２１を経て、反射ミラー２２によって再度光路が９０度折り曲げられ、対物レンズ２３に入射して、光ディスクの記録層に所定の大きさのビームスポットで集光する。
【００３２】
そして、上記光ディスクの記録層で反射された戻り光は、上記往路と同じ光路を逆行してビームスプリッター１８まで戻り、ビームスプリッター１８を透過し、光学素子１９で波長の異なる２つのレーザ光の光路が合成されて、受光器２０によって検出されると共に電気信号に変換され、図示しない画像処理回路による適宜な処理が行われる。
【００３３】
上記のような構成を有する光学系を用いた光ピックアップ１２の製造段階において、DVD側のデフォーカス調整と、CD側において回折光学素子ホルダ１７の作用によって形成される３つのビームスポットの、光ディスクのトラックに対する位置を調整（以下、「回折格子の位置調整」という。）する必要がある。一般的に、上記デフォーカス調整はレーザ発光素子１６と回折光学素子ホルダ１７を共に回転させて行い、上記回折格子の位置調整は、回折光学素子ホルダ１７自体を回転させることによって行われる。尚、デフォーカス調整を行った後、回折格子の位置調整を行う時には、特に、レーザ発光素子１６と回折光学素子ホルダ１７との距離を所定の値で一定に保ったまま行う必要がある。
【００３４】
従って、回折光学素子ホルダ１７とレーザ発光素子１６との距離を一定に保ちながら、上記回折格子の位置調整を行うために、レーザ発光素子１６及び回折光学素子ホルダ１７は、図４乃至図７に示すように、プラスチックや金属等の適宜な材質で形成されたレーザホルダ２５に内嵌され、それぞれの位置関係が規定されたまま図示しない光学ベース部分に固定されると共に、回折光学素子ホルダ１７が嵌合手段によって回転可能な状態でレーザホルダ２５から抜け落ちないように締結されている。
【００３５】
上記レーザホルダ２５は、図５及び図７に示すように、長手方向に貫通した円形の開口形を有する内孔２６を有する略円筒状を為すものである。上記内孔２６は、一方の開口２６ａの内径が他方の開口２６ｂを含む他の部分よりも大径とされている。
【００３６】
即ち、開口部２６ａには２段の段差を有する段部２７が形成されることによって開口径が他方の開口部２６ｂよりも大径化されている。また、上記内孔２６内周壁の開口２６ｂ寄りの部分には、周方向に連続して伸びる嵌合溝２８が形成されている。
【００３７】
更に、レーザホルダ２５の外周壁の長手方向における略中間部分にも、周方向に連続して伸びる稍幅広の取付溝２９が形成されている。尚、レーザ発光素子１６及び回折光学素子ホルダ１７を保持した状態のレーザホルダ２５は、上記取付溝２９等を使用して、例えば、図示しない板金等の別部品を用いた適宜な手段で、２軸アクチュエータ１４の固定部に回転規制されて固定されている。
【００３８】
以上に記載した構成を有するレーザホルダ２５には、一方の開口２６ａの側から内孔２６の段部２７と嵌合した状態でレーザ発光素子１６が全体的に嵌入固定され、他方の開口２６ｂの側からは回折光学素子ホルダ１７の円筒部１７ａが内嵌され、ホルダ部１７ｂがレーザホルダ２５の開口２６ｂの開口縁に当接した状態となる。尚、これに先立って、回折光学素子ホルダ１７の保持孔１７ｅには、シリコンゴム等の適宜な材質のリング状部材であるオーリング１７ｆが嵌入される。
【００３９】
而して、図７に示すように、レーザホルダ２５に回折光学素子ホルダ１７の円筒部１７ａが内嵌されると、嵌合手段である、内孔２６の嵌合溝２８と保持溝１７ｅに嵌入されたオーリング１７ｆとが嵌合し、回折光学素子ホルダ１７の抜け止めと位置決めの役割を果たし、例えば、調整溝１７ｄに適宜な治具を嵌合させて回折光学素子ホルダ１７をレーザホルダ２５内で回転させて行う回折格子の位置調整の際は、レーザ発光素子１６やレーザホルダ２５も回転することなく、両者の距離を一定に保って調整を行うことが可能になる。
【００４０】
また、リング状部材の変形例として、オーリング１７ｆを使用しないで、図５に破線で示すように、レーザホルダ２５の嵌合溝２８に対応する部分に適宜な注入孔３０を設け、レーザホルダ２５に回折光学素子ホルダ１７を内嵌した後に、該注入孔３０から緩合溝２８と保持溝１７ｅとによって画成された空間にゴム等を注入してリング状に形成させることによって、回折光学素子ホルダ１７の抜け止め及び位置決めを為すようにしても良い。
【００４１】
図８及び図９は、レーザ発光素子１６及び回折光学素子ホルダ１７の保持方法の変形例を示すものである。即ち、レーザ発光素子１６及び回折光学素子ホルダ１７の構造は、回折光学素子ホルダ１７の保持溝１７ｅにオーリング１７ｂを嵌入して使用しない点を除いて前記と全く同じであるが、レーザホルダ３１の構造が前記レーザホルダ２５とは細部で異なるものである。
【００４２】
即ち、レーザホルダ３１は、図８に示すように、長手方向に貫通した円形の開口形を有する内孔３２を有する略円筒状を為すものである。上記内孔３２は、一方の開口３２ａの内径が他方の開口３２ｂを含む他の部分よりも大径とされている。
【００４３】
また、上記一方の開口部３２ａには２段の段差を有する段部３３が形成されることによって開口径が他方の開口部３２ｂよりも大径とされている。上記内孔３２内周壁の開口３２ｂ寄りの部分には、締結孔３４が形成されている。尚、上記締結孔３４の直径は、回折光学素子ホルダ１７の保持溝１７ｅの幅よりも僅かに小さくされている。
【００４４】
更に、レーザホルダ３１の外周壁の長手方向における略中間部分にも、周方向に連続して伸びる稍幅広の溝３５が形成されている。尚、レーザ発光素子１６及び回折光学素子ホルダ１７を保持した状態のレーザホルダ３１は、前記レーザホルダ２５の場合と同様に、上記溝３５等を使用して、例えば、図示しない板金等の別部品を用いた適宜な手段で、２軸アクチュエータ１４の固定部に回転規制されて固定される。
【００４５】
以上に記載した構成を有するレーザホルダ３１には、一方の開口３２ａの側から内孔３２にレーザ発光素子１６が嵌入固定され、他方の開口３２ｂの側からは回折光学素子ホルダ１７が内嵌される。回折光学素子ホルダ１７は、レーザホルダ３１に内嵌された時には、保持溝１７ｅの位置と上記締結孔３４の位置とが合致するようになっている。
【００４６】
而して、図９に示すように、レーザホルダ３１に回折光学素子ホルダ１７の円筒部１７ａを内嵌し、締結孔３４から内孔３２内に締結ピン３６を差し込むことによって、嵌合手段である、締結ピン３６の先端部が回折光学素子ホルダ１７の保持溝１７ｅ内に入り込んでその壁部と当接し、回折光学素子ホルダ１７の抜け止めと位置決めの役割を果たすようになる。
【００４７】
そして、回折光学素子ホルダ１７のみをレーザホルダ３１内で回転させて行う回折格子の位置調整の際には、保持孔１７ｄに締結ピン３６の先端部が当接しながら回折光学素子ホルダ１７が回転するようになるため、レーザ発光素子１６やレーザホルダ３１自体も回転することなく、レーザ発光素子１６と回折光学素子ホルダ１７との距離を一定に保って調整を行うことが可能になる。
【００４８】
また、上記と同様の嵌合手段としては、回折光学素子ホルダ１７の円筒部１７ａ外周面に単数又は複数の突起やピン等を設け、これに対応する部分におけるレーザホルダ３１の内孔３２の内周壁に、図８に破線で示すように、嵌入時に使用する長手方向に伸びた部分３７ａと、これに連続した周方向に伸びる部分３７ｂとを有する嵌合溝３７を設け、回折光学素子ホルダ１７をレーザホルダ３１に嵌入したときには、これらの嵌合によって回折光学素子ホルダ１７の抜け止め及び位置決めを為すようにすることも考えられる。
【００４９】
従って、上記実施の形態及びその変形例においては、回折格子の位置調整を、レーザ発光素子１６を回転させることなく、回折光学素子ホルダ１７のみを回転させて行うことができるので、回折格子の回転に伴ってレーザ発光素子１６も回転することによる受光器２０の位置の再調整が不要となって、調整作業を短縮することが可能になる。
【００５０】
また、回折格子の位置調整に先立って、レーザホルダ２５又は３１を固定する前に、レーザ発光素子１６及び回折光学素子ホルダ１７を保持した状態のレーザホルダ２５又は３１を回転させてデフォーカス調整が行えるので、レーザ光の復路でデフォーカス調整を行わなくてもよく、復路の光学系、特に、ビームスプリッター１８から受光器２０までの間において、光学素子１９のような適宜な光学素子を配置することができるスペースを取ることができるようになり、光学系の設計自由度を上げることが可能になると共に、受光器２０を用いたデフォーカス調整を行うことが不要となって、光学系全体の信頼性を上げることも可能になる。
【００５１】
更に、回折光学素子ホルダ１７をレーザホルダに外部から固定するための別部材及びこれとレーザホルダとを固定する部材等が不要であるので、部品点数の削減によるコスト低下と、レーザ発光素子１６と回折光学素子ホルダ１７とを保持したレーザホルダ２５又は３１の外形を小さくすることができ、光学ピックアップの小型化に寄与することが可能になる。
【００５２】
更にまた、レーザホルダ２５、３１や回折光学素子ホルダ１７に形成する溝や突起の深さや突出量等、レーザホルダと回折光学素子ホルダとの嵌合部分の接合の度合いを調節することにより、回折光学素子ホルダ１７の回転時の必要トルクを適度に設定することができ、デフォーカス調整時の工程を簡易にすることが可能になる。
【００５３】
尚、上記実施の形態においては、本発明を、２波長１体型のレーザ発光素子を使用して２種類のディスク状記録媒体への情報信号の記録又は再生を行うようにされた光ピックアップ及び光ディスクドライブ装置に適用した例を示したが、前述のように、レーザ発光素子との距離を一定に保ちながら回折光学素子ホルダを回転させて行う回折格子の位置調整は、ディスク状記録媒体にCD規格の光ディスクを使用する際に必須のものであるので、本発明をCD専用の光ピックアップ及び光ディスクドライブ装置に適用することも可能である。
【００５４】
以上に説明した実施の形態において、各部の具体的な形状及び構造は、何れも本発明を実施するに当たっての具体化のほんの一例を示したものに過ぎず、これらによって本発明の技術的範囲が限定的に解釈されることがあってはならないものである。
【００５５】
【発明の効果】
以上に説明したように本発明光ピックアップは、レーザ発光素子から出射したレーザ光を回折光学素子とコリメータレンズ及び対物レンズを介してディスク状記録媒体へ照射させると共に、該ディスク状記録媒体で反射したレーザ光を対物レンズ及びコリメータレンズを介して光検出器へと導く光学系を有する光ピックアップにおいて、光学系を配置する光学ベースと、レーザ発光素子を保持するレーザホルダと、回折光学素子を保持する回折光学素子ホルダとを有し、回折光学素子ホルダ及びレーザホルダはそれぞれ嵌合手段を有し、回折光学素子ホルダの円筒部の外周部分に形成された保持溝とレーザホルダの内孔の内周壁の開口寄りの部分に形成された嵌合溝の間にリング状部材が嵌入されることによって、または、レーザホルダの内孔の内周壁の開口寄りの部分に形成された締結孔から内孔内に差し込まれた連結ピンの先端部が回折光学素子ホルダの円筒部の外周部分に形成された保持溝内に入り込んでその壁部と当接することによって回折光学素子ホルダをレーザーホルダ内に保持したので、回折光学素子の位置調整の際に、レーザ発光素子との距離を一定に保ちながら回折光学素子ホルダのみを回転させることができると共に、レーザ発光素子が回転してしまうことによる受光器の位置を再調整することが不要となって、調整工程を短縮することかできる。
【００５６】
また、本発明光ディスクドライブ装置は、レーザ発光素子から出射したレーザ光を回折光学素子とコリメータレンズ及び対物レンズを介してディスク状記録媒体へ照射させると共に、該ディスク状記録媒体で反射したレーザ光を対物レンズ及びコリメータレンズを介して光検出器へと導く光学系を有する光ピックアップを備えた光ディスクドライブ装置において、光ピックアップが、光学系を配置する光学ベースと、レーザ発光素子を保持するレーザホルダと、回折光学素子を保持する回折光学素子ホルダとを有し、回折光学素子ホルダ及びレーザホルダはそれぞれ嵌合手段を有し、回折光学素子ホルダの円筒部の外周部分に形成された保持溝とレーザホルダの内孔の内周壁の開口寄りの部分に形成された嵌合溝の間にリング状部材が嵌入されることによって、または、レーザホルダの内孔の内周壁の開口寄りの部分に形成された締結孔から内孔内に差し込まれた連結ピンの先端部が回折光学素子ホルダの円筒部の外周部分に形成された保持溝内に入り込んでその壁部と当接することによって回折光学素子ホルダをレーザーホルダ内に保持したので、回折格子の位置調整の際に、レーザ発光素子との距離を一定に保ちながら回折光学素子ホルダのみを回転させることができると共に、レーザ発光素子が回転してしまうことによる受光器の位置を再調整することが不要となって、調整工程を短縮することかできる。
【００５７】
そして、簡単な構造で、回折格子の位置調整の際に、レーザ発光素子との距離を一定に保ちながら回折光学素子ホルダのみを回転させることができるようになる。
【図面の簡単な説明】
【図１】光ディスクドライブ装置の外観を示す斜視図である。
【図２】光ディスクドライブ装置の基本構成を、一部を分解して示す斜視図である。
【図３】光ピックアップの基本構成を拡大して示す斜視図である。
【図４】光ピックアップの光学系の基本構成を示す概略図である。
【図５】レーザホルダの構造を示す断面図である。
【図６】回折光学素子ホルダの構造を示す斜視図である。
【図７】レーザホルダに保持されたレーザ発光素子と回折光学素子ホルダとをやや斜め方向から見た状態で示す断面図である。
【図８】図９と共にレーザホルダ及び嵌合手段の変形例を示すものであり、本図はレーザホルダの構造を示す断面図である。
【図９】レーザホルダに保持されたレーザ発光素子と回折光学素子ホルダとをやや斜め方向から見た状態で示す断面図である。
【図１０】従来の光ピックアップにおける光学系の基本構成を示す概略図である。
【図１１】従来の光ピックアップにおいて、レーザホルダに保持されたレーザ発光素子と回折光学素子ホルダとをやや斜め方向から見た状態で示す断面図である。
【符号の説明】
１…光ディスクドライブ装置、１２…光ピックアップ、１６…レーザ発光素子、１７…回折光学素子ホルダ、１７ａ…円筒部、１７ｃ…回折光学素子、１７ｅ…保持溝、１７ｆ…リング状部材、２１…コリメータレンズ、２３…対物レンズ、２５…レーザホルダ、２６…内孔、２６ｂ…開口、２８…嵌合溝、３１…レーザホルダ、３２…内孔、３２ｂ…開口、３４…締結孔、３６…連結ピン
【図１】
0004457285.tif 000002
【図２】
0004457285.tif 000003
【図３】
0004457285.tif 000004
【図４】
0004457285.tif 000005
【図５】
0004457285.tif 000006
【図６】
0004457285.tif 000007
【図７】
0004457285.tif 000008
【図８】
0004457285.tif 000009
【図９】
0004457285.tif 000010
【図１０】
0004457285.tif 000011
【図１１】
0004457285.tif 000012